(57)【要約】      （修正有）【課題】災害や緊急時に、警笛を鳴らして報知すると共に、ＲＦＩＤ発信機からの電波をＲＦＩＤタグで反射させてＲＦＩＤタグのデータを読み取って所在を明らかにすることができるカードホルダーを提供する。【解決手段】社員証、身分証明書等のカードを収納するカード収納部３とその上部にネックストラップ４を挿通するための３つの孔５を設けたネックストラップ取付部６とを備え、使用者の首からネックストラップにより吊り下げて携帯するカードホルダーであって、カード収納部の下部に、ＲＦＩＤタグ７を付加した警笛８を収納する警笛収納部９を一体化して、災害や緊急時に、警笛を鳴らして報知すると共に、ＲＦＩＤ発信機からの電波をＲＦＩＤタグで反射させて該ＲＦＩＤタグのデータを読み取って所在を明らかにすることを特徴とする。【選択図】図１
2020116096.tif 000002
【特許請求の範囲】
【請求項１】
社員証、身分証明書等のカードを収納するカード収納部とその上部にネックストラップを挿通するための３つの孔を設けたネックストラップ取付部とを備え、使用者の首からネックストラップにより吊り下げて携帯するカードホルダーであって、前記カード収納部の下部に、ＲＦＩＤタグを付加した警笛を収納する警笛収納部を一体化して、災害や緊急時に、警笛を鳴らして報知すると共に、ＲＦＩＤ発信機からの電波を前記ＲＦＩＤタグで反射させて該ＲＦＩＤタグのデータを読み取って所在を明らかにすることを特徴とするＲＦＩＤタグを付加したホイッスル付きカードホルダー。
【請求項２】
前記ＲＦＩＤタグは、パッシブタグで構成し、前記警笛の空気出口上面に収容したことを特徴とする請求項１記載のＲＦＩＤタグを付加したホイッスル付きカードホルダー。
【請求項３】
前記カードホルダーは、ソフトタイプのケースで形成したことを特徴とする請求項１記載のＲＦＩＤタグを付加したホイッスル付きカードホルダー。
【請求項４】
前記警笛は、蓄光顔料をプラスチック材料に混ぜ合わせた蓄光タイプとしたことを特徴とする請求項１記載のＲＦＩＤタグを付加したホイッスル付きカードホルダー。
【発明の詳細な説明】
【技術分野】
【０００１】
本発明は、社員証、身分証明書等のカードを収納して、使用者の首から吊り下げて携帯するカードホルダーに、ＲＦＩＤタグを付加した警笛を一体化して、災害や緊急時に、警笛を鳴らして報知すると共に、ＲＦＩＤ発信機からの電波をＲＦＩＤタグで反射させてＲＦＩＤタグのデータを読み取って所在を明らかにするＲＦＩＤタグを付加したホイッスル付きカードホルダーに関するものである。
【背景技術】
【０００２】
企業が自然災害、大火災、テロ攻撃などの緊急事態に遭遇した場合、事業資産の損害を最小限にとどめつつ、中核となる事業の継続あるいは早期復旧を可能とするために、平常時に行うべき活動や緊急時における事業継続のための方法、手段などを取り決めておく事業継続計画（ＢＣＰ）の立案が、中小企業の間で見直されつつある。
【０００３】
企業に属する従業員が上述した緊急事態に遭遇した際に、倒壊した建物、トンネルの中、地下鉄の構内などに閉じ込められてしまう虞がある。このような場所から一刻も早く外部に脱出するには、大声を出して外部の救護者に自分の居場所を知らせることであるが、体力を消耗するだけで大きな効果は得られない。それに代わるものとして、笛により警笛を鳴らす方が大声を出すより体力の消耗が少なく、外部に知らせるには遥かに効果的である。従って、クレジットカード、キャッシュカードと組み合わせたもの（特許文献１）や名札と一体にしたもの（特許文献２）が知られている。一方、本出願人は、社内においても外出時においても常時身につける社員証、身分証明書等のカードを収納するカードケースと警笛を一体化して災害や緊急時に警笛を報知すると共に、発信器から電波を発信して所在を明らかにする警笛及び発信器を一体化したカードケースを開発、開示している（特許文献３）。
【先行技術文献】
【特許文献】
【０００４】
【特許文献１】特開２００７−６２３４２号公報
【特許文献２】特開２００５−２３４５１２号公報
【特許文献３】特開２０１８−１０２９２０号公報
【発明の開示】
【発明が解決しようとする課題】
【０００５】
しかしながら、クレジットカード、キャッシュカードは何時でも何処でも所有するものではなく、また、名札については必要とされるところでは所有するが、常時所有するものではない。さらに、発信器は、微弱電波であるため、到達距離が短く、電池がなくなればその機能を果たさなくなるという問題点があった。本発明は、この問題点を解決するものであり、社員証、身分証明書等のカードを収納して、使用者の首から吊り下げて携帯するカードホルダーに、ＲＦＩＤタグを付加した警笛を一体化して、災害や緊急時に、警笛を鳴らして報知すると共に、ＲＦＩＤ発信機からの電波をＲＦＩＤタグで反射させてＲＦＩＤタグのデータを読み取って所在を明らかにすることを目的とする。
【課題を解決するための手段】
【０００６】
上記目的を達成するため、請求項１記載の発明は、社員証、身分証明書等のカードを収納するカード収納部とその上部にネックストラップを挿通するための３つの孔を設けたネックストラップ取付部とを備え、使用者の首からネックストラップにより吊り下げて携帯するカードホルダーであって、カード収納部の下部に、ＲＦＩＤタグを付加した警笛を収納する警笛収納部を一体化して、災害や緊急時に、警笛を鳴らして報知すると共に、ＲＦＩＤ発信機からの電波をＲＦＩＤタグで反射させて該ＲＦＩＤタグのデータを読み取って所在を明らかにすることを特徴とするものである。
【０００７】
また、請求項２記載の発明は、請求項１記載のＲＦＩＤタグを付加したホイッスル付きカードホルダーであって、ＲＦＩＤタグは、パッシブタグで構成し、前記警笛の空気出口上面に収容したことを特徴とするものである。
【０００８】
また、請求項３記載の発明は、請求項１記載のＲＦＩＤタグを付加したホイッスル付き
カードホルダーであって、カードホルダーは、ソフトタイプのケースで形成したことを特徴とするものである。
【０００９】
また、請求項４記載の発明は、請求項１記載のＲＦＩＤタグを付加したホイッスル付き
カードホルダーであって、警笛は、蓄光顔料をプラスチック材料に混ぜ合わせた蓄光タイプとしたことを特徴とするものである。
【発明の効果】
【００１０】
請求項１記載のＲＦＩＤタグを付加したホイッスル付きカードホルダーによれば、社員証、身分証明書等のカードを収納するカード収納部とその上部にネックストラップを挿通するための３つの孔を設けたネックストラップ取付部とを備え、使用者の首からネックストラップにより吊り下げて携帯するカードホルダーであって、カード収納部の下部に、ＲＦＩＤタグを付加した警笛を収納する警笛収納部を一体化して、災害や緊急時に、警笛を鳴らして報知すると共に、ＲＦＩＤ発信機からの電波をＲＦＩＤタグで反射させて該ＲＦＩＤタグのデータを読み取って所在を明らかにしたので、確実に緊急事態に対処することができる。
【００１１】
また、請求項２記載のＲＦＩＤタグを付加したホイッスル付きカードホルダーによれば、ＲＦＩＤタグは、パッシブタグで構成し、前記警笛の空気出口上面に収容したので、ＲＦＩＤ発信機からの電波をエネルギー源として利用することができる。
【００１２】
また、請求項３記載のＲＦＩＤタグを付加したホイッスル付きカードホルダーによれば、カードホルダーは、ソフトタイプのケースで形成したので、扱いやすく身体に装着しても違和感を感じることがない。
【００１３】
また、請求項４記載のＲＦＩＤタグを付加したホイッスル付きカードホルダーによれば、警笛は、蓄光顔料をプラスチック材料に混ぜ合わせた蓄光タイプとしたので、停電時にも目印となり大きな安心感につなぐことができる。
【図面の簡単な説明】
【００１４】
【図１】本発明によるＲＦＩＤタグを付加したホイッスル付きカードホルダーを示す外観図である。
【図２】本発明によるＲＦＩＤタグを付加したホイッスル付きカードホルダーの使用の第一実施例を示した説明図である。
【図３】本発明によるＲＦＩＤタグを付加したホイッスル付きカードホルダーの使用の第二実施例を示した説明図である。
【図４】本発明によるＲＦＩＤタグを付加したホイッスル付きカードホルダーの使用の第三実施例を示した説明図である。
【発明を実施するための形態】
【実施例】
【００１５】
以下、本発明の実施の形態について、図面を参照して説明する。図１は本発明によるＲＦＩＤタグを付加したホイッスル付きカードホルダーを示す外観図であり、１は警笛を収納する警笛収納部を一体化したカードホルダーで、社員証とか身分証明書のようなカード２を収納するカード収納部３とその上部にネックストラップ４を挿通するための３つの孔５を設けたネックストラップ取付部６を備え、カード収納部３の下部にＲＦＩＤタグ７を付加した警笛８を収納する警笛収納部９が一体化され付設されている。
【００１６】
ＲＦＩＤタグ７は、パッシブタグで構成され、ＲＦＩＤ発信機からの電波をエネルギー源として動作するため、電池を内蔵する必要がない。タグのアンテナは発信機からの電波の一部を反射するが、ＩＤ情報はこの反射波に乗せて返される。反射波の強度は非常に小さいため受信距離は比較的短くなるが、安価にできること、恒常的に作動することから、今後の普及の本命とされている。
【００１７】
カードホルダーを構成するカード収納部３と警笛収納部９はソフトタイプのケースで形成したので、扱いやすく身体に装着しても違和感を感じることがない。また、警笛８は蓄光顔料をプラスチック材料に混ぜ合わせた蓄光タイプとしたので、停電時でも目印になり大きな安心感につながる。
【００１８】
つぎに、本発明によるＲＦＩＤタグを付加したホイッスル付きカードホルダーの使用の実施例を、図２〜図４を用いて説明する。
【００１９】
図２は、従業員が地震、洪水などの自然災害により倒壊した建物、土砂崩れによる土の中に閉じ込められてしまった場合、従業員の災害時所在管理に適用した第一実施例を示したものであり、２０は自然災害の現場、２１は現場に閉じ込められた従業員、２２は従業員が所有するホイッスル付きカードホルダー、２３はカードホルダーに一体化された警笛、２４は警笛に付加されたＲＦＩＤタグ、２５はＲＦＩＤ発信機、２６は管理装置である。
【００２０】
防災用の警笛はどの家庭でも１つや２つは揃えてあるが、通常の生活では災害への意識の低下により常時身につけて携帯しなくなる。一方、社員証、身分証明書等のカードが収納されたカードホルダー２２は、普段から持ち歩くものであり、警笛２３をカードホルダー２２に一体化すれば、災害や緊急時に遭遇した場合に警笛２３を鳴らして報知することが出来る。また、パッシブタグで構成されるＲＦＩＤタグ２４が警笛２３に付加されているので警笛を報知する力がなくなってもＲＦＩＤ発信機２５からの電波２７をＲＦＩＤタグ２４で反射させ、ＲＦＩＤタグのデータを読み取って管理装置２６に送信し、現場に閉じ込められた従業員２１の所在を明らかにすることが出来る。
【００２１】
図３は、従業員の勤怠管理に適用した第二実施例を示したものであり、施設３０の入り口３１ａ、３２ａ、３３ａにはＲＦＩＤタグの読取装置３１ｂ、３２ｂ、３３ｂが設置され、読取装置３１ｂ、３２ｂ、３３ｂには警告装置３１ｃ、３２ｃ、３３ｃが接続されている。３４は施設３０に属する従業員、３５は従業員が所有するＲＦＩＤタグを付加したホイッスル付きカードホルダー、３６はカードホルダーに一体化された警笛、３７は警笛に付加されたＲＦＩＤタグ、３８は施設３０の入り口３１ａ、３２ａ、３３ａに設置されたＲＦＩＤタグの読取装置３１ｂ、３２ｂ、３３ｂに接続された無線送受信装置、３９は無線送受信装置３８に無線で接続された従業員管理装置である。
【００２２】
従業員管理装置３９には施設３０に属する従業員３４のデータベース、例えば、従業員コード、氏名、生年月日、入社年月日、配属先履歴、現住所、顔写真などを保有している。ホイッスル付きカードホルダー３５には社員証、身分証明書等のカードが収納され、カードを所有する従業員３４は施設３０内での仕事中は紐などで首に吊るして身に付けている。従業員３４が施設３０の入り口３１ａを通過して施設内に入るとき、入り口３１ａに設置されたＲＦＩＤタグの読取装置３１ｂによりＲＦＩＤタグ３７を読み取り、タグ内のデータを無線送受信装置３８から従業員管理装置３９へ伝送し、従業員３４のデータベースに登録されているかを確認する。登録されていなければ警告装置３１ｃにより警告を発する。従業員３４が入り口３２ａまたは３３ａを通過する都度ＲＦＩＤタグの読取装置３２ｂまたは３３ｂによりＲＦＩＤタグ３７を読み取り、従業員３４が現在どこにいるかを把握することができる。従業員３４が施設３０の入り口３１ａを通過して施設外から外へ出るとき、入り口３１ａに設置されたＲＦＩＤタグの読取装置３１ｂによりＲＦＩＤタグ３７を読み取り、タグ内のデータを無線送受信装置３８から従業員管理装置３９へ伝送し、従業員３４が退出したことを確認する。
【００２３】
図４は、セキュリティ強化されている病院の医用機具管理に適用した第三実施例を示したものであり、医用機具保管庫４０の入退出口には医用機具用ＲＦＩＤタグの読取装置４１、個人用ＲＦＩＤタグの読取装置４２、近接センサ４３、持出者記録部４４、報知パネル４５が設置されている。４６は病院に所属する従業員、４７は従業員が所有するＲＦＩＤタグを付加したホイッスル付きカードホルダー、４８はカードホルダーに一体化された警笛、４９は警笛に付加された個人用ＲＦＩＤタグ、５０は医用機具に付加された医用機具用ＲＦＩＤタグ、５１は医用機具用ＲＦＩＤタグの読取装置４１、個人用ＲＦＩＤタグの読取装置４２、近接センサ４３、持出者記録部４４、報知パネル４５に接続された医用機具管理装置である。
【００２４】
医用機具保管庫４０に保管されている医用機具の持出を監視し、持出が正当であるか判断する。持出が正当でない場合は、その正当でない持出に対して警告を発する。近接センサ４３は医用機具保管庫４０に入出した者を検出すると検出信号を医用機具管理装置５１に出力する。近接センサ４３で人体を検出したものの個人用ＲＦＩＤタグの読取装置４２で個人識別情報が認識できなければ病院関係者以外の入室と判断する。入室者が医用機具保管庫４０の入退出口から出ようとした場合、医用機具用ＲＦＩＤタグの読取装置４１により医用機具用ＲＦＩＤタグ５０を読み取り、個人用ＲＦＩＤタグの読取装置４２により従業員が所有するＲＦＩＤタグを付加したホイッスル付きカードホルダー４７に一体化された警笛４８に付加された個人用ＲＦＩＤタグ４９を読み取る。個人用ＲＦＩＤタグの読取装置４２で個人識別情報が認識できなければ病院関係者以外の不当な持ち出しと判断し報知パネル４５で警告を発するとともに持出者記録部４４により持ち出そうとする者を記録し医用機具管理装置５１に出力する。
【００２５】
以上説明したように、本発明によれば、社員証、身分証明書等のカードを収納するカード収納部とその上部にネックストラップを挿通するための３つの孔を設けたネックストラップ取付部とを備え、使用者の首からネックストラップにより吊り下げて携帯するカードホルダーであって、カード収納部の下部に、ＲＦＩＤタグを付加した警笛を収納する警笛収納部を一体化して、災害や緊急時に、警笛を鳴らして報知すると共に、ＲＦＩＤ発信機からの電波を前記ＲＦＩＤタグで反射させて該ＲＦＩＤタグのデータを読み取って所在を明らかにしたので、確実に緊急事態に対処することができる。
【符号の説明】
【００２６】
１  ホイッスル付きカードホルダー
２  カード
３  カード収納部
４  ネックストラップ
５  孔
６  ネックストラップ取付部
７  ＲＦＩＤタグ
８  警笛
９  警笛収納部
２０  自然災害の現場
２１  現場に閉じ込められた従業員
２２  ホイッスル付きカードホルダー
２３  警笛
２４  ＲＦＩＤタグ
２５  ＲＦＩＤ発信機
２６  管理装置
３０  施設
３１ａ、３２ａ、３３ａ  入り口
３１ｂ、３２ｂ、３３ｂ  ＲＦＩＤタグの読取装置
３１ｃ、３２ｃ、３３ｃ  警告装置
３４  従業員
３５  ホイッスル付きカードホルダー
３６  警笛
３７  ＲＦＩＤタグ
３８  無線送受信装置
３９  従業員管理装置
４０  医用機具保管庫
４１  医用機具用ＲＦＩＤタグの読取装置
４２  個人用ＲＦＩＤタグの読取装置
４３  近接センサ
４４  持出者記録部
４５  報知パネル
４６  従業員
４７  ホイッスル付きカードホルダー
４８  警笛
４９  個人用ＲＦＩＤタグ
５０  医用機具用ＲＦＩＤタグ
５１  医用機具管理装置
【図１】
2020116096.tif 000003
【図２】
2020116096.tif 000004
【図３】
2020116096.tif 000005
【図４】
2020116096.tif 000006